(57)【要約】【課題】巻き取った回収物の巻取ドラムからの抜き取りを容易にする。【解決手段】回転主軸１１の周囲に同心円上に、複数本の軸線方向に延在する巻取アーム１２を周方向に隣接配置して構成され、巻取時には拡径されると共に回収時は縮径される巻取ドラム１５を備え、該巻取ドラム１５の外周面に回収物（マルチフィルム等）Ｆを巻き付け、巻付後に巻回された回収物Ｆを巻取ドラム１５より引き抜いて取り出している巻取装置１０に対する回収物Ｆの巻取・回収方法において、巻取ドラム１５の外周面と巻き取られる回収物Ｆとの間に介在させて周方向に隣接する巻取アーム１２間の隙間Ａに回収物Ｆを入り込ませないようにした回収補助具２０を着脱自在に介在させ、回収物Ｆの巻取終了後に、巻回された回収物Ｆを回収補助具２０と共に或いは回収補助具２０は巻取ドラム１５側に残して回収物Ｆだけを巻取ドラム１５より軸線方向に抜き取っている。【選択図】　図２
2004081145.tif 000002
【特許請求の範囲】
【請求項１】
基台上に搭載された原動機で回転駆動される巻取ドラムにマルチフィルムやビニールシートからなる回収物を巻き付け、上記巻取ドラムを複数本の軸線方向に延在する巻取アームを周方向に隣接配置して形成して、巻取時には巻取ドラムを拡径すると共に巻取終了後には縮径させ、巻取ドラムに巻回された上記回収物を軸線方向に抜き取って回収する回収装置において、
上記巻取ドラムの外周面と巻き取られる回収物との間に、周方向に隣接する上記巻取アーム間の隙間に回収物を入り込ませない回収補助具を着脱自在に介在させ、上記回収物の巻取終了後に、巻回された回収物を上記回収補助具と共に或いは回収補助具は巻取ドラム側に残して回収物を巻取ドラムより抜き取ることが出来る構成としている回収装置。
【請求項２】
上記回収補助具として、ロープ状の非伸縮性の１本の紐を用い、該紐を巻取ドラムの外周面に巻き付け、巻取終了後には上記回収物と上記紐とを巻取ドラムから軸線方法へ抜き取ると共に回収物から上記紐を引き抜く構成としている請求項１に記載の回収装置。
【請求項３】
上記巻取ドラムの回転主軸の両端に取り付けるフランジにスリットを設け、上記紐を巻取ドラムの外周に巻き付けて両端を上記スリットに挟み込んで係止している請求項２に記載の回収装置。
【請求項４】
上記回収補助具として、両面に雌雄繊維状突起を有する面ファスナーからなる帯体を複数本用い、各帯体を上記巻取ドラムの外周面に所要間隔をあけて巻き付け、巻付端同士を上記雌雄繊維状突起を係合させている請求項１に記載の回収装置。
【請求項５】
上記回収補助具として、剛性を有する円筒体を軸線方向に分割した分割部材を用い、該分割部材を組み合わせて上記巻取ドラムの外周に外嵌した状態で円筒体を形成すると共に軸線方向の分割端を離反して空間をあけており、上記回収物の巻取終了後に、上記回収物を上記分割部材と共に上記巻取ドラムより抜き取り、抜き取った回収物より上記分割部材を離反した分割端同士を近接させることで縮径させて上記回収物を取り除く構成としている請求項１に記載の回収装置。
【請求項６】
回転主軸の周囲に同心円上に、複数本の軸線方向に延在する巻取アームが周方向に隣接配置され、巻取時には拡径されると共に回収時は縮径される巻取ドラムを備え、該巻取ドラムの外周面にマルチフィルムやビニルシートである回収物を巻き付け、巻付後に巻回された回収物を巻取ドラムより軸線方向へ引き抜いて取り出している回収方法において、
上記巻取ドラムの外周面と巻き取られる回収物との間に、周方向に隣接する上記巻取アーム間の隙間に回収物を入り込ませない回収補助具を着脱自在に介在させ、
上記回収物の巻取終了後に、巻回された回収物を上記回収補助具と共に或いは回収補助具は巻取ドラム側に残して回収物を巻取ドラムより抜き取っていることを特徴とする回収方法。
【発明の詳細な説明】
【０００１】
【発明の属する技術分野】
本発明は、畝に被せられているマルチフィルム、ビニールシート等を使用後に巻き取って回収する回収装置および回収方法に関するものである。
【０００２】
【従来の技術】
畝に被せられているマルチフィルムやビニールシートを使用後に回収する装置（所謂、マルチフィルム回収機）が従来種々提供されている。
この種のマルチフィルム回収機は、走行車台上に搭載した巻取ドラムを回転駆動させて畝よりマルチフィルムを剥ぎ取りながら巻取ドラムの外周面にマルチフィルムを巻き付けていき、巻付終了後に巻取ドラムより軸線方向に引き抜いて回収している。
【０００３】
従来のマルチフィルム回収機の巻取装置として、例えば、図１０、図１１に示す装置が提供されている。該装置は、図１０に示すように走行台車からなるマルチフィルム回収機９のフレーム９ｂ上に原動機９ｅを搭載し、該原動機９ｅで巻取装置１の巻取ドラム６を回転駆動し、畝Ｕに被せられたマルチフィルムＦを剥ぎ取りながら巻き取っている。また、この剥ぎ取られるマルチフィルムＦの張力によりマルチフィルム回収機９は畝Ｕに沿って移動され、連続的にマルチフィルムＦを巻取り回収している。
【０００４】
図１１に示すように、巻取装置１は回転主軸２の周囲に同心円上で棒形状の巻取アーム３を複数本配置しており、これら巻取アーム３は、回転主軸２の両端部近傍にレバーＲで操作されるリンク部材４を介して結合し、各巻取アーム３を径方向に拡縮可能にして巻取ドラム６を形成している。また、各巻取アーム３と回転主軸２の間にバネ材７を連結して各巻取アーム３を拡径位置となるように付勢している。さらに、回転主軸２の両側端部にフランジ８−１、８−２を取り付け、巻き取るマルチフィルムＦをガイドしている。かつ、一方のフランジ８−２を回転主軸２に対して着脱自在とし、巻取ドラム６にマルチフィルムＦを巻き取った後にフランジ８−２を取り除いて、巻回されたマルチフィルムＦを回転主軸２の軸線方向に引き抜いて取り出している。
【０００５】
【発明が解決しようとする課題】
上記巻取装置において、上記巻回されたマルチフィルムＦの抜き取りをスムーズに行うには、巻取ドラム６を縮径状態にしてマルチフィルムＦの中心方向への締め付けに伴う密着力が大きく緩和されるように、巻取ドラム６の拡径状態と縮径状態の寸法差を確保する必要がある。
しかし、所要の寸法差を確保しようとすると、図１１（Ｂ）の巻取ドラム６の拡径状態では、隣接する巻取アーム３の隙間が広がることとなる。
【０００６】
マルチフィルムＦを回収する際、マルチフィルムＦの幅方向の片側または両側が土中深くに埋め込まれている場合や、回収途中に抵抗となるもの（例えば、たばこの残幹Ｍやその脇芽Ｍａなど）にマルチフィルムＦが引っ掛った場合等は、マルチフィルムＦに対して強い引っ張り力が働き、マルチフィルムＦが伸びた状態で巻取ドラム６に巻き取られるため、巻取ドラム６の中心方向に強い締付力が発生する。
その結果、マルチフィルムＦが隣接する巻取アーム３の隙間に入り込み、巻取終了後に各巻取アーム３を内方に移動させて巻取ドラム６を縮径することが出来なくなる。そのため、巻取ドラム６とマルチフィルムＦの密着力を充分に緩和できず、マルチフィルムＦをスムーズに巻取ドラム６より取り出すことが出来ない。　この不具合は、マルチフィルムＦは高温時ほど伸びやすいので、高温下での作業時に発生する頻度が高い。
【０００７】
上記のような事態を回避するには、隣接する巻取アーム３の隙間を狭くするために巻取アームの本数を増加することが考えられるが、そうすると縮径状態で隣接する巻取アーム同士の干渉が生じる問題がある。この干渉を解消するには、干渉が生じない程度に縮径状態の径寸法を設定せざるを得ず、そうすると拡径状態と縮径状態の寸法差が一定長以上確保できなくなり、結局、マルチフィルムＦのスムーズな抜き取りを達成できなかった。
【０００８】
本発明は、上記した問題に鑑みてなされたものであり、各巻取アーム間の隙間に回収物（マルチフィルム等）が入り込むのを防止し、巻き取った回収物の抜き取りを容易にすることを課題としている。
【０００９】
【課題を解決するための手段】
上記課題を解決するため、本発明は、基台上に搭載された原動機で回転駆動される巻取ドラムにマルチフィルムやビニールシートからなる回収物を巻き付け、上記巻取ドラムを複数本の軸線方向に延在する巻取アームを周方向に隣接配置して形成して、巻取時には巻取ドラムを拡径すると共に巻取終了後には縮径させ、巻取ドラムに巻回された上記マルチフィルムやビニールシートからなる回収物を軸線方向に抜き取って回収する回収装置において、
上記巻取ドラムの外周面と巻き取られる回収物との間に、周方向に隣接する上記巻取アーム間の隙間に回収物を入り込ませない回収補助具を着脱自在に介在させ、上記回収物の巻取終了後に、巻回された回収物を上記回収補助具と共に或いは回収補助具は巻取ドラム側に残して回収物を巻取ドラムより抜き取ることが出来る構成としている回収装置を提供している。
【００１０】
上記構成とすると、複数本の巻取アームで構成された巻取ドラムに上記回収補助具を外装して、巻き取られる回収物と巻取ドラムとの間に回収補助具を介在させているので、回収物が隣接する巻取アーム間の隙間に入り込むことを防止することができる。
したがって、回収物の巻取アームへの密着力が緩和されると共に、巻取ドラムの縮径が阻害されることがなく、回収物を上記巻取ドラムの軸線方向にスライドさせて容易に抜き取ることができる。
【００１１】
具体的な上記回収補助具の１つとして、ロープ状の非伸縮性の１本の紐を用い、該紐を巻取ドラムの外周面に巻き付け、紐の両端を巻き付けられた紐と巻取アームとの隙間にねじ込んで係止し、巻取終了後には隙間から取り外して、上記巻取ドラムを縮径させて、上記回収物と上記紐とを巻取ドラムから軸線方法へ抜き取り、抜き取り後に回収物から上記紐を引き抜く構成としている。
【００１２】
上記のように回収補助具として紐を用いる場合、巻取ドラムの回転主軸の両端に取り付けるフランジにスリットを設け、上記紐を巻取ドラムの外周に巻き付けて上端を上記スリットに挟み込んで係止してもよい。
なお、上記紐の両端を巻取アームの隙間にねじ込んで係止しておき、巻取終了後には隙間から引き出してもよい。この場合、回収物の巻取時において、巻取アームを拡径状態に保持する機能を高めることができると共に巻取装置側の構成を代える必要がない。
【００１３】
上記構成とすると、紐を巻取ドラムの外周に螺旋状に巻き付けることで、隣接する巻取アームの全ての隙間は軸線方向のいずれかの位置で紐が存在し、巻き取られるマルチフィルム等の回収物は軸線方向の略全長に亙るため、回収物が隙間に入り込むことが防止できる。しかも、紐部材は非伸縮性でロープ状として強度を付与しているため、ロール状に巻き取られた回収物の締付力が強大であっても上記隙間に押し込まれることがない。
したがって、介在させる紐の存在で、回収物の巻取アームへの密着力を緩和出来ると共に、隙間に入りこんで、巻取終了後の巻取ドラムの縮径を阻害することがなく、回収物を上記紐と共に上記巻取ドラムの軸線方向にスライドさせて容易に抜き取ることができる。
また、抜き取られたロール状の回収物の中空部に残存する紐は、作業者が引き抜くだけで容易に取り出すことができる。
なお、ここでの非伸縮性とは、全く伸びないか、伸縮量が非常に小さいことをいい、紐としてはロープや帯などを用いると好適である。
【００１４】
上記回収補助具として、両面に雌雄繊維状突起を有する面ファスナーからなる帯体を複数本用い、各帯体を上記巻取ドラムの外周面に所要間隔をあけて巻き付け、巻付端同士を上記雌雄繊維状突起を係合させてもよい。
上記帯体の一部を巻取アームの一部に係止しておき、巻取終了後には巻取ドラムより除去せずに残しておき、マルチフィルム等の回収物だけ抜き取るようにしてもよい。この場合、再使用の際に回収補助具を巻取ドラムに取り付ける手数を省くことができる。
【００１５】
さらに、上記回収補助具として、巻取ドラムを包囲する略円筒形状で且つ内径を縮径可能な構成としたものを用いてもよい。
具体的には、剛性を有する円筒体を軸線方向に分割した分割部材を用い、これら分割部材の軸線方向の分割端は、軸線方向に平行ではなく、軸線方向に傾斜させ、あるいは、軸線方向に段差を設け、軸線方向に相互に離反させて空間をあけることで拡径し、近接させて分割端を当接させることで縮径できるようにしている。
上記分割部材を組み合せて上記巻取ドラムの外周に外嵌した状態で円筒体を形成すると共に軸線方向の分割端を離反して空間をあけ、上記回収物の巻取終了後に、上記回収物を上記分割部材と共に上記巻取ドラムより抜き取り、抜き取った回収物より上記分割部材を離反した分割端同士を近接させることで縮径させて上記回収物を取り除く構成としている。
【００１６】
上記構成とすると、略円筒形状となる回収補助具で巻取ドラムを包囲するので、隣接する巻取アーム間の隙間に回収物が入り込むのを確実に防止することができ、回収物の巻取アームへの密着力が十分に緩和されると共に、巻取ドラムの縮径が阻害されることがない。よって、回収物を上記回収補助具と共に上記巻取ドラムの軸線方向にスライドさせて容易に抜き取ることができる。
また、巻取ドラムから回収物を回収補助具ごと抜き取った後、回収物の中空部に残存する回収補助具は縮径可能であるので、回収補助具をロール状の回収物の内周面に密着しないように縮径させることにより、回収補助具を軸線方向に容易に引き抜くことができる。
【００１７】
本発明は、上記した回収装置を用いてマルチフィルム等を回収する場合に限らず、回転主軸の周囲に同心円上に、複数本の軸線方向に延在する巻取アームが周方向に隣接配置され、巻取時には拡径されると共に回収時は縮径される巻取ドラムを備え、該巻取ドラムの外周面にマルチフィルムやビニルシートである回収物を巻き付け、巻付後に巻回された回収物を巻取ドラムより軸線方向へ引き抜いて取り出している回収方法において、
上記巻取ドラムの外周面と巻き取られる回収物との間に、周方向に隣接する上記巻取アーム間の隙間に回収物を入り込ませない回収補助具を着脱自在に介在させ、
上記回収物の巻取終了後に、巻回された回収物を上記回収補助具と共に或いは回収補助具は巻取ドラム側に残して回収物を巻取ドラムより抜き取っていることを特徴とする回収方法を提供している。
【００１８】
【発明の実施の形態】
以下、本発明の実施形態を図面を参照して説明する。
図１乃至図４は第１実施形態を示す。
図１はマルチフィルム（回収物）の巻取装置１０を示し、前記図１０に示すマルチフィルム回収機９を基台上に搭載され、回転主軸１１は原動機によって回転駆動されると共に、マルチフィルム巻取時のマルチフィルムの引張力で走行されるものである。
なお、巻取装置１０を搭載する基台は図１０に示すマルチフィルム回収機に限らず、自走車でも良いし、固定した基台でもよい。
【００１９】
巻取装置１０は、回転中心となる回転主軸１１と同心円上の周囲に、軸線方向に延在する６本の巻取アーム１２を周方向に隣接配置して、各巻取アーム１２の長さ方向の両端と回転主軸１１とを夫々リンク部材１３の両端にピン１４−１、１４−２を軸着してリンク結合し、径方向に拡縮可能な巻取ドラム１５を形成している。巻取アーム１２と回転主軸１１との間にバネ材１６を張架して、巻取アーム１２を拡径位置に付勢していると共に、巻取終了後には、上記リンク部材１３と連係させたレバー（図示せず）を操作して、リンク部材１３を回転主軸１１側へと傾動させて縮径させることが出来る構成としている。
【００２０】
上記各巻取アーム１２は棒形状で、その断面形状は外周側となる先端部分を傘形状に形成して先端面を拡げ、周方向に隣接する巻取アーム１２の隙間Ａを狭めて、６本の巻取アーム１２の外周側となる先端面で形成される円筒を巻取ドラム１５としている。
上記巻取ドラム１５はマルチフィルム巻取時には上記リンク部材１３を回転主軸１１と直交方向に位置させて拡径し、巻き取ったマルチフィルムを回収する時はリンク部材１３を回転主軸１１側に倒して巻取ドラム１５を縮径させている。
【００２１】
上記回転主軸１１の両端には、巻取アーム１２により形成される巻取ドラム１５より径方向へ突出するフランジ１７−１、１７−２を取り付け、該フランジ１７−１、１７−２には同心円状で小径の円盤部１８を設けらている。一端側のフランジ１７−１は回転主軸１１に固定している一方、他端側のフランジ１７−２は回転主軸１１に着脱自在に取り付け、巻き取ったマルチフィルムの回収時に回転主軸１１より取り外し、縮径する巻取ドラム１５の外周に巻き付けられたマルチフィルムＦを軸線方向へと引き抜いて回収できる機構としている。
【００２２】
上記周方向に配置する複数本の巻取アーム１２より構成される巻取ドラム１５の外周面には、マルチフィルムＦの巻取時に、非伸縮性の太いロープ状とした紐２０からなる回収補助具を軸線方向の全長に亙って螺旋状に巻き付けて、巻き取られるマルチフィルムと巻取ドラム１５との間に介在させ、巻取終了後には紐２０を巻回されたマルチフィルムと共に巻取ドラム１５より引き抜く構成としている。
【００２３】
次に、マルチフィルムＦの回収手順を説明する。
まず、図２に示すように、拡径状態としている巻取ドラム１５の外周面に沿って回収補助具となる紐２０を螺旋状に軸線方向の全長に亙って巻き付ける。この時、紐２０が周方向に隣接する巻取アーム１２の隙間Ａに落ち込まないように、強く引っ張って巻き付けている。紐２０の両端を巻き付けられた紐２０と巻取アーム１２との間にねじ込むことで紐２０を固定し、回収されるマルチフィルムＦとの間に介在させる。なお、紐２０の両端は巻き付けられた紐２０自体に結びつけてもよい。
【００２４】
この状態として、巻取ドラム１５を回転させて、マルチフィルムＦを巻取ドラム１５の外周に巻き取っていく。この巻取時には、図３（Ａ）に示すように、ロール状に巻き取られたマルチフィルムＦと巻取ドラム１５との間に紐２０が介在しているため、マルチフィルムＦが強いテンションで巻き取られた場合でも、隣接する巻取アーム１２間の隙間Ａに入り込むことが防止される。
【００２５】
図３（Ｂ）に示すように、ロール状に巻回されるマルチフィルムＦの中心方向への締付力（図中矢印）を、従来は巻取アーム１２の先端面でしか受け止められなかったのに対して、本発明では、隙間Ａ部分に架け渡された紐２０によっても受け止めることができるので、マルチフィルムＦの隙間Ａへの落ち込みを防止できる。さらに、巻取アーム１２へ掛かる負荷も分散されるので、フィルム巻取作業時の巻取ドラム１５の縮径度が軽減され、拡径状態を維持することもできる。なお、巻取アーム１２の断面形状を傘形状として隣接する巻取アーム１２の隙間Ａを狭めていることによっても、マルチフィルムＦの隙間への落ち込みを低減させている。
【００２６】
マルチフィルムＦの巻取終了後は、図４（Ａ）に示すように、一方のフランジ部１７−２を取り外し、かつ、リンク部材１３を傾動させて巻取ドラム１５を縮径状態する。その際、マルチフィルムＦが巻取アーム１２の隙間Ａに入り込んでいないため、巻取アーム１２を容易に傾動でき、巻取ドラム１５を縮径させることができる。
巻取ドラム１５が縮径することで、マルチフィルムＦの中心方向への密着力が弱められ、マルチフィルムＦを紐２０と共に巻取ドラム１５より軸線方向へスムーズに抜き取ることができる。
【００２７】
さらに、図４（Ｂ）に示すように、抜き取られたマルチフィルムＦの中空部Ｓに残存する紐２０はフリーの状態となっているので、作業者が引き抜くだけで容易に取り出すことができ、マルチフィルムＦを容易に再利用することが可能となる。
なお、本実施形態の紐２０は非伸縮性のものを用いているが、多少伸縮するものをテンションを掛けて巻取ドラム１５に巻き付けて使用してもよい。
また、紐をマルチフィルムＦと同様の素材を用いれば、抜き取ったマルチフィルムＦをそのまま廃棄する場合に、紐を巻回されたマルチフィルムＦの中空部Ｓに残したまま廃棄することができる。
【００２８】
図５は第２実施形態を示す。
本実施形態の回収補助具は、図５（Ａ）のような両端部２１ａ、２１ｂを細くした紐２１を使用している。
一方、巻取装置のフランジ１７−２（１７−１）の円盤部１８に、図５（Ｂ）に示すように、周方向に間隔をあけて中心方向に複数のスリット１８ａを切り欠き、図５（Ｃ）に示すように、フランジ部１７の外面にクリップ部１９を設けている。
【００２９】
紐２１を第１実施形態と同様に巻取ドラム１５の外周に螺旋状に巻き付けて、端部２１ａ（２１ｂ）をフランジ部１７−２（１７−１）の円盤部１８のスリット１８ａに挟み込み、スリット１８ａより外方に飛び出した端部２１ａ（２１ｂ）をクリップ部１９で係止している。
【００３０】
上記構成とすると、マルチフィルムＦが巻取ドラム１５に巻き取られた状態で、紐２０の両端部２１ａ、２１ｂがマルチフィルムＦの中空部より両側に露出することとなるので、ロール状のマルチフィルムＦより紐２０を抜き取る際に、端部２１ａ（２１ｂ）を持って簡単に引き抜くことができると共に、紐２０が絡まることも防止できる。
なお、他の構成・手順は第１実施形態と同様であるため説明を省略する。
【００３１】
図６は第３実施形態を示す。
本実施形態の回収補助具は、面ファスナーとなる複数の帯体２２を使用している。これら帯体２２は、図６（Ａ）（Ｂ）（Ｃ）に示すように、非伸縮性の基布２２ａの一面の端部に繊維状雄係止部２２ｂを植毛している一方、他面全面に繊維状雌係止部２２ｃを植毛している。
一部の巻取アーム１２’に軸線方向に間隔をあけて帯体通し枠１２ａ’を設けておき、この通し枠１２ａ’を通して帯体２２を巻取ドラム１５に巻き付け、巻き付け後に両端の繊維状の雌雄係止部２２ｂと２２ｃを係止している。
【００３２】
上記のように、複数本の帯体２２を巻取ドラム１５の外周面に間隔をあけて巻き付けても、巻き取られるマルチフィルムと巻取ドラムの間には、幅方向に間隔をあけて帯材２２が介在しているために、隣接する巻取アームの隙間にマルチフィルムが入り込むことを阻止できる。
上記巻取ドラムの外周面に巻き付けられた帯体２２は、巻取終了後に巻取ドラムが縮径されると撓み、その外周の巻回されたマルチフィルムを容易に軸線方向に引き抜くことができる。
この引き抜き時には、帯体２２は巻取アーム１２’の通し枠１２ａ’に通しているため、巻取ドラム側に残る。よって、回収されたマルチフィルムから取り除く必要はなく、かつ、再度巻取ドラムに巻き付ける必要はない。
また、他の構成・手順は第１実施形態と同様であるため説明を省略する。
【００３３】
図７乃至図９は第４実施形態を示す。
本実施形態の回収補助具として、円筒体を軸線方向に分割した第１部材３１と第２部材３２とからなる合成樹脂製の分割部材３０を用いている。
第１部材３１と第２部材３２とは同一形状であり、第２部材３２について説明すると、円筒部３２ｂの開口端よりフランジ部３２ａを突出していると共に、該フランジ部３２ａに近接した位置より円筒部３２ｂの略半周部を切除して断面円弧状の半円筒部３２ｃを突出させている。半円筒部３２ｃは、軸線方向の分割端３２ｄを軸線方向に対して傾斜させ、先端部３２ｅにかけて断面円弧が小さくなるようにしている。
【００３４】
図８に示すように、第１部材３１と第２部材３２とからなる分割部材３０を組み合せて、巻取ドラム１５の外周に外嵌して円筒体を形成した状態では、半円筒部３１ｃ、３２ｃの分割端３１ｄ、３２ｄを傾斜させていることより、軸線方向の分割端３１ｄ、３２ｄが離反して空間３３が形成される。
この状態から、第１実施形態と同様に、巻取ドラム１５の外周にマルチフィルムＦを巻き取ると、分割部材３０が巻取ドラム１５を包囲しているので、隣接する巻取アーム１２の隙間にマルチフィルムＦが入り込むのを防止することができる。
よって、マルチフィルムＦの巻取終了後は、図９（Ａ）に示すように、ロール状に巻き取られたマルチフィルムＦを分割部材３０と共に巻取ドラム１５の軸線方向にスライドさせてスムーズに抜き取ることができる。
【００３５】
また、巻取ドラム１５から抜き取ったマルチフィルムＦの中空部Ｓに残存する分割部材３０は、図９（Ｂ）に示すように、第１部材３１と第２部材３２の離反した分割端３１ｄ、３２ｄ同士を近接させながら軸線方向の両側に引き抜くことで、円筒状の分割部材３０が縮径し、ロール状のマルチフィルムＦの内周面Ｆａと分割部材３０との密着が解かれ、容易に中空部Ｓから取り去ることができる。さらに、第１部材３１と第２部材３２とは同一形状であるため、部品の品種を１種類にすることができ、製作金型費を低減することができる。
なお、分割部材の材質は、剛性を有するものであれば特に限定されず、合成樹脂製とする他、金属製であってもよい。
また、他の構成・手順は第１実施形態と同様であるため説明を省略する。
【００３６】
【発明の効果】
上記した説明より明らかなように、本発明によれば、複数本の巻取アームで構成された巻取ドラムに回収補助具を外装し、回収物が隣接する巻取アームの隙間に入り込むことのを防止しているので、回収物の巻取アームへの密着力を緩和できると共に、巻取終了後に、巻取ドラムを縮径が阻害されず、回収物を巻取ドラムを軸線方向にスライドさせてスムーズに抜き取ることができる。
また、上記回収補助具として、紐や縮径可能な回収補助具を用いると、回収物を巻取ドラムから抜き取った後に、ロール状の中空部から上記回収補助具を取り除き易くなる。
【図面の簡単な説明】
【図１】本発明の第１実施形態にかかるマルチフィルム（回収物）の巻取装置の拡径状態を示し、（Ａ）は軸線方向と平行な断面図、（Ｂ）は軸線方向と垂直な断面図である。
【図２】巻取ドラムに紐を巻き付けた状態を示し、（Ａ）は軸線方向と平行な断面図、（Ｂ）は軸線方向と垂直な断面図である。
【図３】（Ａ）はマルチフィルムを巻き取った状態を示す断面図、（Ｂ）は要部拡大断面図である。
【図４】（Ａ）はマルチフィルムを巻取ドラムから抜き取る状態を示す断面図、（Ｂ）は抜き取り後のマルチフィルムからの紐部材の取り出しを説明する断面図である。
【図５】第２実施形態を示し、（Ａ）は紐を示す図面、（Ｂ）（Ｃ）は紐の取り付けを示す図面である。
【図６】（Ａ）は第３実施形態の帯体の斜視図、（Ｂ）は紐体の固定方法を示す説明図、（Ｃ）は巻取ドラムへの取付状態を示す概略図である。
【図７】第４実施形態の分割部材の斜視図である。
【図８】分割部材の巻取ドラムへの装着後の平面図である。
【図９】（Ａ）はマルチフィルムを巻取ドラムから抜き取る状態を示す断面図、（Ｂ）は抜き取り後のマルチフィルムからの分割部材の取り出しを説明する断面図である。
【図１０】従来の巻取装置を装着したマルチフィルム回収機を示す全体図である。
【図１１】従来のマルチフィルム（回収物）の巻取装置を示し、（Ａ）は軸線方向に平行な断面図、（Ｂ）は軸線方向に垂直な断面図である。
【符号の説明】
１０　　　　　　巻取装置
１１　　　　　　回転主軸
１２　　　　　　巻取アーム
１３　　　　　　リンク部材
１５　　　　　　巻取ドラム
２０　　　　　　紐（回収補助具）
３０　　　　　　分割部材（回収補助具）
３１　　　　　　第１部材
３２　　　　　　第２部材
Ｆ　　　　　　　マルチフィルム（回収物）
Ｓ　　　　　　　中空部
【図１】
2004081145.tif 000003
【図２】
2004081145.tif 000004
【図３】
2004081145.tif 000005
【図４】
2004081145.tif 000006
【図５】
2004081145.tif 000007
【図６】
2004081145.tif 000008
【図７】
2004081145.tif 000009
【図８】
2004081145.tif 000010
【図９】
2004081145.tif 000011
【図１０】
2004081145.tif 000012
【図１１】
2004081145.tif 000013